(57)【要約】【課題】筐体内に水が入りにくくすることが可能な技術を提供する。【解決手段】電子機器１の筐体５に第１貫通孔３２が設けられる。筐体５内には、第１貫通孔３２と押圧面４１ａが対向する押圧スイッチ４１が設けられる。また電子機器１は、押圧スイッチ４１を押圧するための操作ボタン４０を備える。防水性を有する貼付部材１１０が、第１貫通孔３２の一方の開口の全周囲を取り囲む部分を有する。押圧スイッチ４１と操作ボタン４０との間に位置する防水部材１００は、貼付部材１１０によって筐体５に貼り付けられ、第１貫通孔３２の一方の開口を塞ぐ。【選択図】図４
2016122997.tif 000002
【特許請求の範囲】
【請求項１】
貫通孔を有する筐体と、
前記筐体内に設けられ、前記貫通孔と押圧面が対向する押圧スイッチと、
前記押圧スイッチを押圧するための操作ボタンと、
防水性を有し、前記貫通孔の一方の開口の全周囲を取り囲む部分を有する貼付部材と、
前記押圧スイッチと前記操作ボタンとの間に位置し、前記一方の開口を塞ぐように前記貼付部材によって前記筐体に貼り付けられる防水部材と
を備える、電子機器。
【請求項２】
請求項１に記載の電子機器であって、
前記防水部材は、シート状であって、柔軟性を有する、電子機器。
【請求項３】
請求項２に記載の電子機器であって、
前記防水部材は、前記一方の開口を覆うことによって前記一方の開口を塞ぐ、電子機器。
【請求項４】
請求項１乃至請求項３のいずれか一つに記載の電子機器であって、
前記操作ボタンは、前記防水部材を介して前記押圧面を押圧する、電子機器。
【請求項５】
請求項３に記載の電子機器であって、
前記押圧スイッチと前記操作ボタンとの間に位置し、前記貫通孔内に位置する中間部材をさらに有し、
前記操作ボタンが前記中間部材を押すことによって、前記中間部材が前記押圧面を押圧する、電子機器。
【請求項６】
請求項５に記載の電子機器であって、
前記防水部材は、前記中間部材と前記操作ボタンとの間に位置する、電子機器。
【請求項７】
請求項５及び請求項６のいずれか一つに記載の電子機器であって、
前記中間部材は、前記操作ボタン側の一端にフランジ部を有する、電子機器。
【請求項８】
請求項７に記載の電子機器であって、
前記操作ボタンは、前記筐体の側面に設けられ、
前記フランジ部においては、前記筐体の厚さ方向への突出距離が、前記厚さ方向及び前記中間部材が押される方向に垂直な方向への突出距離よりも小さい、電子機器。
【請求項９】
請求項５乃至請求項８のいずれか一つに記載の電子機器であって、
前記中間部材の表面には、当該中間部材が押される方向に沿って延在する突起部が設けられ、
前記貫通孔の内壁には、前記突起部と嵌合する溝部が設けられる、電子機器。
【請求項１０】
請求項１乃至請求項９のいずれか一つに記載の電子機器であって、
前記操作ボタンは、前記筐体の側面に設けられ、
前記筐体における、前記防水部材が貼り付けられる領域は、前記筐体の厚み方向に対して傾斜する傾斜面を有する、電子機器。
【発明の詳細な説明】
【技術分野】
【０００１】
本発明は、電子機器に関する。
【背景技術】
【０００２】
特許文献１，２にも記載されているように、従来から電子機器に関して様々な技術が提案されている。
【先行技術文献】
【特許文献】
【０００３】
【特許文献１】特開２０１３−２５５００８号公報
【特許文献２】国際公開第２０１３／０９４３９１号
【発明の概要】
【発明が解決しようとする課題】
【０００４】
特許文献１に記載されているように、電子機器の筐体内に押圧スイッチが設けられることがある。このような電子機器では、押圧スイッチを押圧するために設けられる筐体の貫通孔から当該筐体内に水が入ることがある。
【０００５】
そこで、本発明は上述の点に鑑みて成されたものであり、電子機器の筐体内に水が入りにくくすることが可能な技術を提供することを目的とする。
【課題を解決するための手段】
【０００６】
上記課題を解決するため、本発明に係る電子機器の一態様は、貫通孔を有する筐体と、前記筐体内に設けられ、前記貫通孔と押圧面が対向する押圧スイッチと、前記押圧スイッチを押圧するための操作ボタンと、防水性を有し、前記貫通孔の一方の開口の全周囲を取り囲む部分を有する貼付部材と、前記押圧スイッチと前記操作ボタンとの間に位置し、前記一方の開口を塞ぐように前記貼付部材によって前記筐体に貼り付けられる防水部材とを備える。
【０００７】
また、本発明に係る電子機器の一態様では、前記防水部材は、シート状であって、柔軟性を有する。
【０００８】
また、本発明に係る電子機器の一態様では、前記防水部材は、前記一方の開口を覆うことによって前記一方の開口を塞ぐ。
【０００９】
また、本発明に係る電子機器の一態様では、前記操作ボタンは、前記防水部材を介して前記押圧面を押圧する。
【００１０】
また、本発明に係る電子機器の一態様では、前記押圧スイッチと前記操作ボタンとの間に位置し、前記貫通孔内に位置する中間部材をさらに有し、前記操作ボタンが前記中間部材を押すことによって、前記中間部材が前記押圧面を押圧する。
【００１１】
また、本発明に係る電子機器の一態様では、前記防水部材は、前記中間部材と前記操作ボタンとの間に位置する。
【００１２】
また、本発明に係る電子機器の一態様では、前記中間部材は、前記操作ボタン側の一端にフランジ部を有する。
【００１３】
また、本発明に係る電子機器の一態様では、前記操作ボタンは、前記筐体の側面に設けられ、前記フランジ部においては、前記筐体の厚さ方向への突出距離が、前記厚さ方向及び前記中間部材が押される方向に垂直な方向への突出距離よりも小さい。
【００１４】
また、本発明に係る電子機器の一態様では、前記中間部材の表面には、当該中間部材が押される方向に沿って延在する突起部が設けられ、前記貫通孔の内壁には、前記突起部と嵌合する溝部が設けられる。
【００１５】
また、本発明に係る電子機器の一態様では、前記操作ボタンは、前記筐体の側面に設けられ、前記筐体における、前記防水部材が貼り付けられる領域は、前記筐体の厚み方向に対して傾斜する傾斜面を有する。
【発明の効果】
【００１６】
本発明の一態様によれば、電子機器の筐体内に水が入りにくくすることができる。
【図面の簡単な説明】
【００１７】
【図１】電子機器の外観を示す前面図である。
【図２】電子機器の外観を示す裏面図である。
【図３】電子機器の外観を示す右側側面図である。
【図４】電子機器の断面構造を拡大して示す図である。
【図５】電子機器の断面構造を拡大して示す図である。
【図６】中間部材の外観を示す斜視図である。
【図７】中間部材の外観を示す斜視図である。
【図８】貫通孔を操作ボタン側から見た平面図である。
【図９】貫通孔に中間部材が挿入されている様子を操作ボタン側から見た平面図である。
【図１０】貫通孔の断面構造を拡大して示す図である。
【図１１】第１変形例に係る電子機器の断面構造を拡大して示す図である。
【図１２】第１変形例に係る電子機器の貫通孔を操作ボタン側から見た平面図である。
【図１３】第２変形例に係る電子機器の断面構造を拡大して示す図である。
【図１４】第３変形例に係る電子機器の断面構造を拡大して示す図である。
【図１５】変形例に係る電子機器の断面構造を拡大して示す図である。
【発明を実施するための形態】
【００１８】
＜電子機器の外観＞
図１〜３は、それぞれ、実施の形態に係る電子機器１の外観を示す前面図、裏面図及び右側側面図である。図４は、図１及び図２に示される電子機器１の矢視Ａ−Ａにおける断面構造を拡大して示す図である。図５は、図３に示される電子機器１の矢視Ｂ−Ｂにおける断面構造を拡大して示す図である。本実施の形態に係る電子機器１は、例えば、スマートフォン等の携帯電話機である。
【００１９】
図１〜５に示されるように、電子機器１は、当該電子機器１の前面に位置するカバーパネル２と、当該カバーパネル２が貼り付けられる前面側ケース３と、当該前面側ケース３に取り付けられる背面側ケース４とを備えている。背面側ケース４は、前面側ケース３に取り付けられるケース本体４ａと、当該ケース本体４ａに対して電子機器１の裏面１０側から取り付けられるカバー部材４ｂとで構成されている（図４参照）。本実施の形態では、前面側ケース３及び背面側ケース４は、電子機器１の筐体５を構成している。電子機器１の形状は、平面視で略長方形の板状となっている。
【００２０】
カバーパネル２は、電子機器１の前面部分における、周縁部以外の部分を構成している。前面側ケース３は、電子機器１の前面部分の周縁部及び側面部分を構成している。背面側ケース４は、電子機器１の側面部分及び裏面部分を構成している。
【００２１】
前面側ケース３及び背面側ケース４は、例えば、樹脂で、あるいは樹脂及び金属で形成されている。当該樹脂としては、例えば、ポリカーボネート樹脂、ＡＢＳ樹脂あるいはナイロン系樹脂が採用される。また、当該金属としては、例えばアルミニウムなどが採用される。本実施の形態において、前面側ケース３は、その剛性を高めるための板金３０と、樹脂部３１とで構成されている。板金３０は、インサート成形によって樹脂部３１に一体成形されている。前面側ケース３と背面側ケース４とは、接着剤あるいは両面テープによって貼り付けられている。
【００２２】
カバーパネル２は板状であって、平面視において略長方形を成している。カバーパネル２は、電子機器１の前面を構成する外側主面２１と、当該外側主面２１とは反対側の内側主面２２とを有する。
【００２３】
カバーパネル２は、外側主面２１に平行な第１方向ＤＲ１に沿って長い略長方形を成している。したがって、外側主面２１に平行かつ第１方向ＤＲ１に垂直な方向を第２方向ＤＲ２とすると、カバーパネル２における第１方向ＤＲ１に沿った長さは、カバーパネル２における第２方向ＤＲ２に沿った長さよりも大きくなっている。また、外側主面２１に垂直な方向を第３方向ＤＲ３とする。以後、第１方向ＤＲ１、第２方向ＤＲ２及び第３方向ＤＲ３を、それぞれ、「長手方向ＤＲ１」、「短手方向ＤＲ２」及び「厚さ方向ＤＲ３」と呼ぶことがある。
【００２４】
また、「左側」と言えば、電子機器１を前面側から見た際の左側を意味し、「右側」と言えば、電子機器１を前面側から見た際の右側を意味する。
【００２５】
カバーパネル２は、例えば、アクリル樹脂、ガラス又はサファイアで形成されている。ここで、サファイアとは、アルミナ（Ａｌ２Ｏ３）を主成分とする単結晶のことをいい、本明細書では、Ａｌ２Ｏ３純度が約９０％以上の単結晶のことをいう。傷がよりつき難く、割れや欠け等をより確実に抑制する点で、Ａｌ２Ｏ３純度は９９％以上であることが好ましい。
【００２６】
カバーパネル２としてサファイアが用いられる場合、サファイアから成る層を含む一層構造のパネル、サファイアから成る層を含む複数層構造の複合パネル（以降、積層パネルと呼ぶことがある）であっても良い。
【００２７】
例えば、カバーパネル２は、電子機器１の表面に設けられたサファイアから成る層（以降、サファイアパネルと呼ぶことがある）と、当該サファイアパネルに貼り付けられたガラスから成る層（以降、ガラスパネルと呼ぶことがある）とで構成された、２層構造の積層パネルであっても良い。また、カバーパネル２は、電子機器１の表面に設けられた第１サファイアパネルと、当該第１サファイアパネルに貼り付けられたガラスパネルと、当該ガラスパネルに貼り付けられた第２サファイアパネルとで構成された３層構造の積層パネルであっても良い。また、カバーパネル２は、サファイア以外の結晶性材料、例えば、ダイヤモンド、ジルコニア、チタニア、水晶、タンタル酸リチウム又は酸化窒化アルミニウムなどから成る層を含んでいても良い。これらも、傷がよりつき難く、割れや欠け等をより確実に抑制する点で、純度が約９０％以上の単結晶が好ましい。
【００２８】
カバーパネル２の周縁部が、外側主面２１を外側にして、前面側ケース３に両面テープあるいは接着剤によって貼り付けられている。
【００２９】
カバーパネル２の内側主面２２には、タッチパネル１３０が貼り付けられている。そして、タッチパネル１３０における、カバーパネル２の内側主面２２とは反対側の主面には表示部１２０が貼り付けられている。表示部１２０及びタッチパネル１３０は、カバーパネル２と前面側ケース３とで囲まれた空間内に設けられる。
【００３０】
表示部１２０は、例えば、液晶ディスプレイあるいは有機ＥＬディスプレイである。カバーパネル２には、表示部１２０の表示が透過する透明の表示領域（表示窓とも呼ばれる）２ａが設けられている。電子機器１のユーザは、当該電子機器１の外部から、表示領域２ａを通じて、表示部１２０に表示される情報を視認できる。
【００３１】
タッチパネル１３０は、例えば、投影型静電容量方式のタッチパネル１３０である。電子機器１のユーザが、自身の指等の操作子によってカバーパネル２の表示領域２ａに対して操作を行うと、その操作がタッチパネル１３０で検出される。これにより、ユーザは電子機器１に対して各種指示を与えることができる。
【００３２】
図１に示されるように、カバーパネル２の下側端部にはマイク穴５０があけられている。また、カバーパネル２の上側端部にはレシーバ穴９０があけられている。前面側ケース３の右側側面５ｂからは操作ボタン４０が露出している。操作ボタン４０は、例えば樹脂から成る。
【００３３】
カバーパネル２の上側端部には、筐体５内の前面側撮像部が有する撮像レンズが電子機器１の外部から視認できるための前面レンズ用透明部６０が設けられている。電子機器１の裏面１０の上側端部には、筐体５内の裏面側撮像部が有する撮像レンズが電子機器１の外部から視認できるための裏面レンズ用透明部７０が設けられている。
【００３４】
筐体５内には、電子機器１が備える、マイク、レシーバ、前面側撮像部及び裏面側撮像部などが設けられている（図示せず）。
【００３５】
マイクは、電子機器１の外部から入力される音を電気的な音信号に変換する。電子機器１の外部からの音は、カバーパネル２の前面に設けられたマイク穴５０から電子機器１の内部に取り込まれてマイクに入力される。
【００３６】
レシーバは、例えばダイナミックスピーカである。レシーバは、例えば電子機器１が受信した電気的な音信号を音に変換して出力する。レシーバから出力される音は、カバーパネルの前面に設けられたレシーバ穴９０から外部に出力される。レシーバは例えば受話音などを出力する。また、レシーバとしてはほかに、特許文献２に記載されるような、圧電振動素子からなるレシーバであってもよい。
【００３７】
前面側撮像部は、撮像レンズ及び撮像素子などで構成されている。前面側撮像部の撮像レンズは、電子機器１の前面に設けられた前面レンズ用透明部６０から視認可能となっている。したがって、前面側撮像部は、電子機器１の前面側（カバーパネル２側）に存在する物体を撮像することが可能である。
【００３８】
裏面側撮像部は、撮像レンズ及び撮像素子などで構成されている。裏面側撮像部の撮像レンズは、電子機器１の裏面１０に設けられた裏面レンズ用透明部７０から視認可能となっている。したがって、裏面側撮像部は、電子機器１の裏面１０側に存在する物体を撮像することが可能である。
【００３９】
操作ボタン４０は、前面側ケース３内に設けられた押圧スイッチ４１と共に、電子機器１に各種指示を与える操作部として機能する。電子機器１のユーザによって、押圧スイッチ４１を押圧するために操作ボタン４０が押される。押圧スイッチ４１は、その押圧面４１ａが押圧されると、オン状態となって、当該押圧面４１ａが押圧されたことを示す電気信号を出力する。電子機器１は、当該電気信号に基づいて、押圧スイッチ４１が押圧されたことを認識し、所定の動作を行う。操作ボタン４０が、例えば、前面側撮像部及び裏面側撮像部のシャッターボタンである場合には、ユーザによって操作ボタン４０が押されると、電子機器１は、前面側撮像部あるいは裏面側撮像部に静止画像あるいは動画像を撮像させる。
【００４０】
＜筐体の貫通孔の防水対策＞
筐体５の表面に露出した操作ボタン４０によって筐体５内の押圧スイッチ４１を押圧するために、当該筐体５における操作ボタン４０と押圧スイッチ４１との間には第１貫通孔３２が設けられる（図４，５参照）。電子機器１に防水対策を施す場合には、当該第１貫通孔３２から筐体５内に水が入りにくくする必要がある。そこで、本実施の形態に係る電子機器１は、当該第１貫通孔３２から水が入りにくい構造を有している。以下にこの構造について詳細に説明する。
【００４１】
図４，５に示されるように、前面側ケース３の樹脂部３１は、押圧スイッチ４１が取り付けられる板状の第１取付部３１０を有している。板状の第１取付部３１０は、厚さ方向ＤＲ３及び長さ方向ＤＲ１に平行に配置されている。また前面側ケース３の樹脂部３１は、第１取付部３１０と対向する板状の対向部３１１を有している。対向部３１１は、第１取付部３１０と対向する第１主面３１１ａと、それとは反対側の第２主面３１１ｂとを有している。
【００４２】
対向部３１１には、短手方向ＤＲ２に沿って貫通する第１貫通孔３２が設けられる。第１貫通孔３２は、電子機器１の右側側面部１ａに設けられている。押圧スイッチ４１は、その押圧面４１ａが、第１貫通孔３２の両側の開口３２０，３２１のうち、対向部３１１の第１主面３１１ａに設けられた開口３２０に対向するように、第１取付部３１０に取り付けられる。操作ボタン４０は、第１貫通孔３２の開口３２０，３２１のうち、対向部３１１の第２主面３１１ｂに設けられた開口３２１に対向するように設けられる。操作ボタン４０の一部は、筐体５の右側側面５ｂに露出している。
【００４３】
対向部３１１の第２主面３１１ｂには、第１貫通孔３２の操作ボタン４０側の開口３２１を覆うように、防水部材１００が貼付部材１１０によって貼り付けられている。防水部材１００は、例えば、シート状であって、柔軟性を有する。このような防水部材１００としては、例えば、ＴＰＵ（Thermoplastic Polyurethane）などの、防水性及び柔軟性を有した部材が採用される。ＴＰＵは、伸縮性及び弾力性も有する。貼付部材１１０は防水性を有する。貼付部材１１０としては、例えば防水性を有する両面テープなどが採用される。
【００４４】
このように、本実施の形態では、シート状の防水部材１００を、防水性を有する貼付部材１１０によって、第１貫通孔３２の操作ボタン４０側の開口３２１を覆うように貼り付けるという簡単な構成によって、当該第１貫通孔３２から筐体５内に水が入りにくくすることができる。
【００４５】
なお、本実施の形態では、貼付部材１１０は、防水部材１００の開口３２１側の面の全領域に貼り付けられている。したがって、開口３２１は貼付部材１１０で覆われている。しかしながら、貼付部材１１０が、開口３２１を覆っておらず、開口３２１の全周囲を取り囲むように対向部３１１の第２主面３１１ｂ上に存在する場合であっても、防水部材１００が開口３２１を覆うように当該防水部材１００を対向部３１１の第２主面３１１ｂに貼り付けることができる。つまり、貼付部材１１０は、開口３２１の全周囲を取り囲む部分を有していればよい。
【００４６】
また、本実施の形態では、前面側ケース３と背面側ケース４との隙間の防水対策が行われている。本実施の形態では、前面側ケース３は、背面側ケース４と対向する部分において、電子機器１の裏面１０側に突出する第１突出部３１２を有する。第１突出部３１２は、前面側ケース３の周縁部の全周囲に渡って設けられる。第１突出部３１２は、図４に示されるように、板状の対向部３１１での、背面側ケース４側の側面３１１ｃにも存在している。背面側ケース４のケース本体４ａの内側の面には、前面側ケース３の第１突出部３１２と嵌合する嵌合凹部４ｃが設けられている。背面側ケース４のケース本体４ａは、その嵌合凹部４ｃと、前面側ケース３の第１突出部３１２とが嵌合するように、前面側ケース３に取り付けられる。第１突出部３１２と嵌合凹部４ｃとの間には、防水性の接着剤が塗布される。これにより、背面側ケース４と前面側ケース３との隙間の防水対策を行うことができる。
【００４７】
本実施の形態では、第１貫通孔３２内に中間部材４２を設けていてもよい。中間部材４２は、貼付部材１１０と押圧スイッチ４１との間に設けられ、第１貫通孔３２内で短手方向ＤＲ２に沿って移動可能となっている。これにより、操作ボタン４０は、中間部材４２を介して押圧スイッチ４１を押圧することができる。具体的には、操作ボタン４０は、その外側から短手方向ＤＲ２に沿って押されることによって、防水部材１００及び貼付部材１１０を介して中間部材４２を押圧スイッチ４１側に移動させる。中間部材４２が押圧スイッチ４１側に移動すると、当該中間部材４２は、押圧スイッチ４１の押圧面４１ａを押圧する。押圧スイッチ４１が押圧される際には、防水部材１００及び貼付部材１１０が操作ボタン４０によって押し延ばされる。中間部材４２は、例えば樹脂から成る。
【００４８】
図４，５に示されるように、操作ボタン４０が押されていない状態では、操作ボタン４０と防水部材１００とは接触している。また、操作ボタン４０が押されていない状態では、中間部材４２は、貼付部材１１０及び押圧スイッチ４１に接している。このため、操作ボタン４０によって押圧スイッチ４１が押圧される際の、防水部材１００及び貼付部材１１０の変形量は小さくなる。これにより、当該変形による防水部材１００及び貼付部材１１０の劣化を抑制することができる。また、当該変形によって、防水部材１００が前面側ケース３から剥がれることを抑制することができる。
【００４９】
操作ボタン４０は、本体部４０ｃと、当該本体部４０ｃから突出する第２突出部４０ａ及び第３突出部４０ｂとを有する。本体部４０ｃは、概ね長手方向ＤＲ１に沿って細長い四角柱形状を成している。第２突出部４０ａは、本体部４０ｃでの、操作ボタン４０の第１貫通孔３２側の主面４００から、当該第１貫通孔３２側に突出している。本体部４０ｃでの、主面４００とは反対側の主面４０１は、筐体５から露出している。当該主面４０１がユーザによって押されることによって操作ボタン４０が押される。第２突出部４０ａは第１貫通孔３２と対向している。第２突出部４０ａの先端面４１０の大きさは、第１貫通孔３２の径よりも小さくなっている。第３突出部４０ｂは、本体部４０ｃでの、背面側ケース４側と対向する側面４０２から、背面側ケース４側に突出している。
【００５０】
前面側ケース３の樹脂部３１は、操作ボタン４０を前面側ケース３に取り付けるための第２取付部３１３を有する。操作ボタン４０は第２取付部３１３と嵌合して、前面側ケース３に取り付けられる。前面側ケース３の第２取付部３１３において、第１貫通孔３２と対向する部分３１３ａには、短手方向ＤＲ２に沿って貫通する第２貫通孔３ｄが設けられる。第２貫通孔３ｄは、第１貫通孔３２と、防水部材１００及び貼付部材１１０を介して対向している。操作ボタン４０の第２突出部４０ａは、第２貫通孔３ｄに挿入され、防水部材１００及び貼付部材１１０を介して中間部材４２を押すことができる。
【００５１】
操作ボタン４０の第３突出部４０ｂは、短手方向ＤＲ２において前面側ケース３と背面側ケース４とで挟まれる。これにより、操作ボタン４０は、筐体５から外れにくくなっている。
【００５２】
＜中間部材の構造＞
以下では、中間部材４２の構造について詳細に説明する。図６及び図７は、中間部材４２の外観を示す斜視図である。図６及び図７に示されるように、中間部材４２は、主要部４２ｃ、フランジ部４２ｄ、複数の突起部４２ｅ及び押圧部４２ｆを有する。フランジ部４２ｄ及び複数の突起部４２ｅは、中間部材４２を第１貫通孔３２に取り付けるための構造である。
【００５３】
主要部４２ｃは、例えば円柱状である。主要部４２ｃは、その高さ方向で対向する第１主面４２ｃａ及び第２主面４２ｃｂと、当該第１主面４２ｃａ及び当該第２主面４２ｃｂに繋がる側面４２ｃｃとを有している。
【００５４】
フランジ部４２ｄは、主要部４２ｃの側面４２ｃｃでの第１主面４２ｃａ側の端部から外側に突出しており、当該第１主面４２ｃａを取り囲んでいる。フランジ部４２ｄでの、主要部４２ｃ側の主面４２ｄａとは反対側の主面４２ｄｂは、主要部４２ｃの第１主面４２ｃａと同一平面上に位置し、かつ当該第１主面４２ｃａと繋がっている。フランジ部４２ｄの主面４２ｄｂと主要部４２ｃの第１主面４２ｃａとで、略楕円形状の平坦面４２０が構成されている。中間部材４２では、この平坦面４２０が操作ボタン４０によって押圧される。以後、当該平坦面４２０を「押圧面４２０」と呼ぶ。
【００５５】
以降、略楕円形状の押圧面４２０の長手方向、短手方向及び円柱状の主要部４２ｃの高さ方向に沿った方向を、それぞれ、第１方向ＤＲ１１、第２方向ＤＲ１２及び第３方向ＤＲ１３と呼ぶことがある。
【００５６】
本実施の形態では、図６，７に示されるように、フランジ部４２ｄでは、第１方向ＤＲ１１での、主要部４２ｃの側面４２ｃｃからの突出距離が、第２方向ＤＲ１２での、主要部４２ｃの側面４２ｃｃからの突出距離よりも小さくなっている。
【００５７】
複数の突起部４２ｅは、主要部４２ｃの側面４２ｃｃに設けられており、当該側面４２ｃｃから外側に突出している。各突起部４２ｅは、フランジ部４２ｄの主面４２ｄａから主要部４２ｃの第２主面４２ｃｂまで延在している。本実施の形態では、２つの突起部４２ｅが中間部材４２に設けられている。２つの突起部４２ｅは、第１方向ＤＲ１１で互いに対向するように、主要部４２ｃの側面４２ｃｃに設けられている。
【００５８】
押圧部４２ｆは、主要部４２ｃの第２主面４２ｃｂ上に設けられており、押圧スイッチ４１の押圧面４１ａを押圧する。押圧部４２ｆは円形の板状となっている。
【００５９】
以上のような構造を有する中間部材４２は、押圧部４２ｆが開口３２０側、フランジ部４２ｄが開口３２１側に位置するように、第１貫通孔３２に挿入される。
【００６０】
図８は、第１貫通孔３２を操作ボタン４０側から見た平面図である。図９は、第１貫通孔３２に中間部材４２が挿入されている様子を操作ボタン４０側から見た平面図である。図１０は、図９に示される矢視Ｃ−Ｃにおける断面構造を拡大して示す図である。図１０では、貼付部材１１０によって前面側ケース３の対向部３１１に貼り付けられた防水部材１００も示されている。図８では、前面側ケース３の対向部３１１の第２主面３１１ｂにおいて、防水部材１００が貼り付けられる貼付領域１１０ａを破線で示す。
【００６１】
第１貫通孔３２の内壁３２５には、中間部材４２の２つの突起部４２ｅとそれぞれ嵌合する２つの溝部３２ｅが設けられている。各溝部３２ｅは、短手方向ＤＲ２に沿って前面側ケース３の対向部３１１を貫通している。
【００６２】
図９に示されるように、第１貫通孔３２の防水部材１００側の開口３２１の形状は、中間部材４２の押圧面４２０の形状に応じて、略楕円形状となっている。開口３２１は押圧面４２０よりも少し大きくなっている。
【００６３】
第１貫通孔３２の内壁３２５には、開口３２１から少し内側に入ったところに、当該開口３２１と対向する段部３３０が形成されている。段部３３０は、内壁３２５の周方向にわたって存在している。第１貫通孔３２では、段部３３０と開口３２１との間の空間が、中間部材４２のフランジ部４２ｄと嵌合する嵌合部３２ｄとなっている。中間部材４２は、そのフランジ部４２ｄの主面４２ｄａが段部３３０と対向するように、第１貫通孔３２内に挿入される。
【００６４】
押圧スイッチ４１が押圧されていない状態では、図１０に示されるように、フランジ部４２ｄと段部３３０との間には隙間が存在する。これにより、中間部材４２は、押圧スイッチ４１を押圧するために、当該押圧スイッチ４１側に移動することが可能となっている。
【００６５】
本実施の形態では、中間部材４２の取り付け作業の際に、例えば作業者が中間部材４２を手に持って、第１貫通孔３２に挿入する。中間部材４２は、その押圧部４２ｆが押圧スイッチ４１側に向くようにして、第１貫通孔３２の第２主面３１１ｂ側の開口３２１から、当該第１貫通孔３２に挿入される。中間部材４２の主要部４２ｃの直径は略２ｍｍとなっていることから、作業者が中間部材４２を持ちにくいことがある。本実施の形態では、中間部材４２にフランジ部４２ｄが設けられていることから、作業者は、持ちやすいフランジ部４２ｄを持って、中間部材４２を押圧部４２ｆから第１貫通孔３２に挿入することができる。よって、作業性が向上する。
【００６６】
本実施の形態では、中間部材４２の表面には、当該中間部材４２が押される方向に沿って延在する突起部４２ｅが設けられてもよい。突起部４２ｅが設けられる場合には、第１貫通孔３２の内壁３２５には、当該突起部４２ｅと嵌合する溝部３２ｅが設けられる。したがって、中間部材４２が間違った方向で第１貫通孔３２に挿入されようとすると、当該中間部材４２はほとんど第１貫通孔３２に入らなくなる。よって、中間部材４２が間違った方向で取り付けられるのを抑制する。
【００６７】
また、第１貫通孔３２の内壁３２５の溝部３２ｅに嵌合する、中間部材４２の表面の突起部４２ｅは、当該中間部材４２が押される方向に沿って延在するため、中間部材４２が押される際に、短手方向ＤＲ２に沿った方向以外に移動することを抑制する。
【００６８】
また、本実施の形態では、第１貫通孔３２に挿入された中間部材４２のフランジ部４２ｄにおいては、厚さ方向ＤＲ３への突出距離が、長手方向ＤＲ１への突出距離よりも小さくなっている。言い換えれば、図９に示されるように、中間部材４２の押圧面４２０では、厚さ方向ＤＲ３での長さが、長手方向ＤＲ１での長さよりも小さくなっている。これにより、電子機器１の筐体５を薄くすることができる。
【００６９】
なお、本実施の形態では、押圧部４２ｆにおける押圧面４１ａと接する面４２ｆａは、主要部４２ｃの直径よりも小さくなっている(図７参照)。この面４２ｆａの大きさを調整することによって、ユーザが操作ボタン４０を押圧する際の押圧感を調整することができる。また、中間部材４２の形状は上記の限りではない。
【００７０】
＜各種変形例＞
＜第１変形例＞
図１１は第１変形例に係る電子機器１の断面構造を拡大して示す図である。図１２は、第１貫通孔３２を操作ボタン４０側から見た平面図である。
【００７１】
図１１，１２に示されるように、対向部３１１の第２主面３１１ｂでの、防水部材１００が貼り付けられる貼付領域１１０ａは、筐体５の厚さ方向、つまり厚さ方向ＤＲ３に対して傾斜する第１傾斜面１１０ａａ及び第２傾斜面１１０ａｂを有している。平面視において、第１傾斜面１１０ａａと第２傾斜面１１０ａｂとは、厚さ方向ＤＲ３で第１貫通孔３２の開口３２１を間に挟んで対向している。背面側ケース４側の第１傾斜面１１０ａａは、厚さ方向ＤＲ３に対して電子機器１の内側に向かって傾斜している。一方で、カバーパネル２側の第２傾斜面１１０ａｂは、厚さ方向ＤＲ３に対して電子機器１の外側に向かって傾斜している。
【００７２】
このように、本変形例では、前面側ケース３の貼付領域１１０ａが、厚さ方向ＤＲ３に対して傾斜する第１傾斜面１１０ａａ及び第２傾斜面１１０ａｂを有しているため、前面側ケース３の厚さを増やすことなく、貼付領域１１０ａを大きくすることができる。つまり、貼付領域１１０ａの大きさが一定の場合には、電子機器１の厚さを薄くすることができる。
【００７３】
また、防水部材１００は、柔軟性を有したシート状の部材であるため、貼付領域１１０ａが第１傾斜面１１０ａａ及び第２傾斜面１１０ａｂを有する場合であっても、貼付領域１１０ａの形状に合わせて防水部材１００を簡単に貼付領域１１０ａに貼り付けることができる。
【００７４】
なお、第１傾斜面１１０ａａ及び第２傾斜面１１０ａｂは互いに反対方向に傾斜しているが、同じ方向に傾斜してもよい。つまり、第１傾斜面１１０ａａ及び第２傾斜面１１０ａｂは、ともに、厚さ方向ＤＲ３に対して電子機器１の内側に向かって傾斜してもよいし、厚さ方向ＤＲ３に対して電子機器１の外側に向かって傾斜してもよい。
【００７５】
＜第２変形例＞
図１３は、第２変形例に係る電子機器１の断面構造を拡大して示す図である。図１３に示されるように、本変形例に係る電子機器１は、防水部材１００の代わりに防水部材５００を有し、中間部材４２の代わりに中間部材６００を有する。
【００７６】
防水部材５００は、樹脂等で形成されている。防水部材５００は、弾力性を有するものの、上述の防水部材１００よりも硬くなっている。防水部材５００は、成形品であって、立体的形状を有している。
【００７７】
防水部材５００は、一方端が閉じた筒状の本体部５１０と、当該本体部５１０の開口５１２側の他方端に設けられたフランジ部５２０とを有する。フランジ部５２０は、本体部５１０の開口５１２の全周囲を取り囲んでいる。
【００７８】
本体部５１０は、その底面５１１が押圧スイッチ４１と対向し、その開口５１２が操作ボタン４０と対向するように、第１貫通孔３２内に挿入される。フランジ部５２０は、前面側ケース３の対向部３１１の第２主面３１１ｂ上に配置される。フランジ部５２０は、第１貫通孔３２の開口３２１の全周囲を取り囲む貼付部材１１０によって対向部３１１の第２主面３１１ｂに貼り付けられる。フランジ部５２０は、第１貫通孔３２の開口３２１の全周囲を取り囲んでいる。これにより、第１貫通孔３２の開口３２１は、防水部材５００によって塞がれている。
【００７９】
第１貫通孔３２内の本体部５１０の側面５１３は、第１貫通孔３２内の内壁３２５と当接している。本体部５１０の側面５１３は、第１貫通孔３２内の内壁３２５と、第１貫通孔３２の周方向の全領域で当接している。これにより、第１貫通孔３２は、本体部５１０によって塞がれている。
【００８０】
中間部材６００は、例えば円柱状を成している。中間部材６００は、例えば金属から成る。中間部材６００は、防水部材５００の本体部５１０内に配置される。中間部材６００は、本体部５１０の内側の面に対して、両面テープ等で貼り付けられる。なお、中間部材６００と防水部材５００とを一体成形しても良い。
【００８１】
このような構造を有する電子機器１では、操作ボタン４０が中間部材６００を直接押して、押された中間部材６００が、防水部材５００の本体部５１０を介して押圧スイッチ４１を押圧する。このとき、本体部５１０の底面５１１が押圧スイッチ４１を押圧する。
【００８２】
本変形例では、防水部材５００の本体部５１０が、第１貫通孔３２を塞いでいるため、第１貫通孔３２から押圧スイッチ４１側に水が入ることを抑制することができる。
【００８３】
また、操作ボタン４０が押された際に、本体部５１０が中間部材６００によって押されて変形し、その結果、短手方向ＤＲ２で見た際に、本体部５１０の側面５１３と、第１貫通孔３２の内壁３２５との間に隙間が生じる可能性がある。本変形例では、防水部材５００のフランジ部５２０が、第１貫通孔３２の開口３２１の全周囲を取り囲む貼付部材１１０によって前面側ケース３に貼り付けられるため、防水部材５００によって、当該開口３２１を塞ぐことができる。よって、短手方向ＤＲ２で見た際に、本体部５１０の側面５１３と、第１貫通孔３２の内壁３２５との間に隙間が生じたとしても、第１貫通孔３２から押圧スイッチ４１側に水が入ることを抑制することができる。
【００８４】
＜第３変形例＞
図１４は、第３変形例に係る電子機器１の断面構造を拡大して示す図である。図１４では、押圧スイッチ４１が押圧された状態を示している。図１４に示されるように、本変形例に係る電子機器１は、中間部材４２を備えていない。本変形例に係る電子機器１では、操作ボタン４０が、防水部材１００及び貼付部材１１０を介して押圧スイッチ４１を押圧する。このとき、防水部材１００及び貼付部材１１０は操作ボタン４０によって押し延ばされる。
【００８５】
このように、本変形例に係る電子機器１では、中間部材４２が設けられていないため、簡単な構成で押圧スイッチ４１を押圧することができる。
【００８６】
＜その他の変形例＞
上記の例では、防水部材１００は、第１貫通孔３２の操作ボタン４０側の開口３２１を覆うように前面側ケース３に貼り付けられているが、図１５に示されるように、当該開口３２１とは反対側の開口３２０を覆うように前面側ケース３に貼り付けられてもよい。図１５に示されるように、防水部材１００は、第１貫通孔３２の押圧スイッチ４１側の開口３２０を覆うように、対向部３１１の第１主面３１１ａに貼付部材１１０によって貼り付けられている。この場合には、操作ボタン４０が中間部材４２を直接押して、押された中間部材４２が貼付部材１１０及び防水部材１００を押し延ばして押圧スイッチ４１を押圧する。このような場合であっても、第１貫通孔３２から水が入ることを抑制することができる。
【００８７】
また上記の例では、本願発明を携帯電話機に適用する場合を例にあげて説明したが、本願発明は、筐体内に押圧スイッチを有する他の電子機器にも適用することができる。例えば、本願発明は、カメラ、タブレット端末、腕などに装着するウェアラブルタイプの電子機器等にも適用することができる。
【００８８】
以上のように、電子機器１は詳細に説明されたが、上記した説明は、全ての局面において例示であって、この発明がそれに限定されるものではない。また、上述した各種変形例は、相互に矛盾しない限り組み合わせて適用可能である。そして、例示されていない無数の変形例が、この発明の範囲から外れることなく想定され得るものと解される。
【符号の説明】
【００８９】
１  電子機器
５  筐体
３２  第１貫通孔
４０  操作ボタン
４１  押圧スイッチ
４２  中間部材
１００  防水部材
１１０  貼付部材
【図１】
2016122997.tif 000003
【図２】
2016122997.tif 000004
【図３】
2016122997.tif 000005
【図４】
2016122997.tif 000006
【図５】
2016122997.tif 000007
【図６】
2016122997.tif 000008
【図７】
2016122997.tif 000009
【図８】
2016122997.tif 000010
【図９】
2016122997.tif 000011
【図１０】
2016122997.tif 000012
【図１１】
2016122997.tif 000013
【図１２】
2016122997.tif 000014
【図１３】
2016122997.tif 000015
【図１４】
2016122997.tif 000016
【図１５】
2016122997.tif 000017